(57)【特許請求の範囲】
【請求項１】
コンタクトレンズをコンタクトレンズ用のケア剤とともに収容する凹部であるレンズ収容部が一対設けられたケース本体と、前記ケース本体にヒンジを介して開閉自在に設けられた蓋部を有したコンタクトレンズケースにおいて、
前記蓋部は、前記一対のレンズ収容部を一体的に覆い、
前記蓋部には、前記ケース本体に向かって突出するフックが設けられ、前記ケース本体には前記フックに対向する位置に前記フックが係止される係止部が設けられ、前記フックの先端は、前記係止部の周縁部に当接し所定の力で係止され、
前記ヒンジの近傍には、前記蓋部を、前記ケース本体へ閉じる方向に前記所定の力より弱い力で付勢するスプリング部が設けられ、前記蓋部が前記スプリング部により前記ケース本体に閉じられた時に、前記蓋部の前記フックが前記ケース本体の前記係止部の周縁部に当接し前記フックが支柱になって前記蓋部が完全に閉まらずに半開き状態となり、前記蓋部と前記ケース本体の間に開口部が形成され、
前記蓋部には、前記一対のレンズ収容部の内側に各々位置するレンズブロックが設けられ、前記レンズブロックは、前記一対のレンズ収容部の前記ヒンジと反対側の周縁部の内側に沿って設けられ、前記蓋部が前記ケース本体に対して前記半開き状態では、前記レンズ収容部の中に前記レンズブロックの先端が位置する長さに形成されているとともに、前記開口部を覆い、
前記レンズ収容部は、前記コンタクトレンズをコンタクトレンズ用の前記ケア剤とともに収容し、前記蓋部を押して前記ケース本体を完全に閉めた状態で、中に収容された前記ケア剤で前記コンタクトレンズを洗い、前記蓋部を開けて半開き状態にして前記開口部を形成し、前記開口部を前記レンズブロックが覆った状態で、前記ケース本体を傾けて前記開口部の前記レンズブロック以外の空間から前記ケア剤を注出可能としたことを特徴とするコンタクトレンズケース。
【請求項２】
前記蓋部の、前記レンズ収容部に対向する位置で前記ヒンジと反対側の側縁部に、水切り突起が設けられた請求項１記載のコンタクトレンズケース。
【請求項３】
前記スプリング部は、前記蓋部が前記半開き状態の角度よりも大きい所定の角度になると無加重状態となり、前記蓋部は所定角度で開き状態を維持し、前記ケース本体には自立用の脚部が設けられ、前記蓋部が前記スプリング部により開き状態に維持された時、重心が前記脚部の内側に位置するように設定されている請求項１記載のコンタクトレンズケース。
【請求項４】
前記蓋部には、前記ケース本体の前記レンズ収容部の周縁部の内側に一周して当接する突縁部であるシールリングと、前記レンズ収容部の前記周縁部の外側に一周して当接する突縁部である嵌合部が設けられ、前記シールリングと前記嵌合部の間は前記レンズ収容部の前記周縁部が差し込まれる溝部となる請求項１記載のコンタクトレンズケース。
【発明の詳細な説明】
【技術分野】
【０００１】
この発明は、コンタクトレンズをケア剤とともに収容するコンタクトレンズケースに関する。
【背景技術】
【０００２】
従来、コンタクトレンズの洗浄方法としては、レンズにケア剤を数滴たらし指で数十回擦って洗うものであった。しかし、指の洗浄が不十分な場合、指の皮脂がレンズに付着する問題があった。これを解決するため、レンズに触れずに洗浄することが考えられるが、簡単にレンズに触れずに洗浄することができる洗浄具は、提供されていない。
【０００３】
一方、コンタクトレンズをケア剤とともに収容するコンタクトレンズケースは、従来は左右のレンズを別々に収納する２個の凹状のレンズ収容部が形成されたケース本体と、２個のレンズ収容部の開口部を閉鎖する蓋部が各凹部に１個ずつ設けられている。蓋部は、いろいろな形状のものがある。例えば、特許文献１、２、４に開示されているコンタクトレンズケースは、ケース本体に蓋部が、ヒンジを介して開閉可能に取り付けられている。蓋部は、扁平な逆有底筒状の形状であり、レンズ収容部の外周面上に外嵌させることによってレンズ収容部に固定されるように構成されている。また、特許文献３に開示されているコンタクトレンズケースは、パッドと枠組み、蓋からなり、パッドを組み合わせて間にレンズを挟み、パッドの周辺を枠組みと蓋とにより固定するものである。
【先行技術文献】
【特許文献】
【０００４】
【特許文献１】特開２０１０−１７８９９４号公報
【特許文献２】特開２００５−１２１９０７号公報
【特許文献３】特開２００２−１４８５８７０号公報
【特許文献４】実用新案登録３１５３８０６号公報
【発明の概要】
【発明が解決しようとする課題】
【０００５】
上記背景技術のコンタクトレンズケースの場合、蓋部が２個のレンズ収容部で個別に設けられ、片方ずつ開閉するものであり、開閉操作が煩わしいものであった。また、コンタクトレンズの洗浄については考慮されておらず、レンズに触れずに簡単にレンズ洗浄をすることができるコンタクトレンズケースではない。
【０００６】
この発明は、上記背景技術の問題点に鑑みてなされたものであり、コンタクトレンズを簡単にケア剤とともに収容し、簡単な操作により収容したまま確実にコンタクトレンズを洗浄することができるコンタクトレンズケースを提供することを目的とする。
【課題を解決するための手段】
【０００７】
この発明は、コンタクトレンズをコンタクトレンズ用のケア剤とともに収容する凹部であるレンズ収容部が一対設けられたケース本体と、前記ケース本体にヒンジを介して開閉自在に設けられた蓋部を有したコンタクトレンズケースであって、前記蓋部は、前記一対のレンズ収容部を一体的に覆い、前記蓋部には、前記ケース本体に向かって突出するフックが設けられ、前記ケース本体には前記フックに対向する位置に前記フックが係止される係止穴等の係止部が設けられ、前記フックの先端は、前記係止部の周縁部に当接し所定の力で係止され、前記ヒンジの近傍には、前記蓋部を、前記ケース本体へ閉じる方向に前記所定の力より弱い力で付勢するスプリング部が設けられ、前記蓋部が前記スプリング部により前記ケース本体に閉じられた時に、前記蓋部の前記フックが前記ケース本体の前記係止部の周縁部に当接し前記フックが支柱になって前記蓋部が完全に閉まらずに半開き状態となり、前記蓋部と前記ケース本体の間に開口部が形成され、前記蓋部には、前記一対のレンズ収容部の内側に各々位置するレンズブロックが設けられ、前記レンズブロックは、前記一対のレンズ収容部の前記ヒンジと反対側の周縁部の内側に沿って設けられ、前記蓋部が前記ケース本体に対して前記半開き状態では、前記レンズ収容部の中に前記レンズブロックの先端が位置する長さに形成されているとともに、前記開口部を覆うように形成されているコンタクトレンズケースである。
【０００８】
前記レンズ収容部は、前記コンタクトレンズをコンタクトレンズ用の前記ケア剤とともに収容し、前記蓋部を押して前記ケース本体を完全に閉めた状態で、中に収容された前記ケア剤で前記コンタクトレンズを洗い、前記蓋部を開けて半開き状態にして前記開口部を形成し、前記開口部を前記レンズブロックが覆った状態で、前記ケース本体を傾けて前記開口部の前記レンズブロック以外の空間から前記ケア剤を注出可能としたものである。
【０００９】
前記蓋部の、前記レンズ収容部に対向する位置で前記ヒンジと反対側の側縁部に、水切り突起が設けられたものである。
【００１０】
さらに、前記スプリング部は、前記蓋部が前記半開き状態の角度よりも大きい所定の角度になると無加重状態となり、前記蓋部は所定角度で開き状態を維持し、前記ケース本体には自立用の脚部が設けられ、前記蓋部が前記スプリング部により開き状態に維持された時、重心が前記脚部の内側に位置するように設定されているものである。
【００１１】
また、前記蓋部には、前記ケース本体の前記レンズ収容部の周縁部の内側に一周して当接する突縁部であるシールリングと、前記レンズ収容部の前記周縁部の外側に一周して当接する突縁部である嵌合部が設けられ、前記シールリングと前記嵌合部の間は前記レンズ収容部の前記周縁部が差し込まれる溝部となるものである。
【発明の効果】
【００１２】
本発明のコンタクトレンズケースは、コンタクトレンズを簡単な操作でケア剤とともに収容し、手で触れずに収容したまま確実に洗浄し、保管することができるものである。コンタクトレンズケースは、蓋部を半開き状態で固定可能であり、コンタクトレンズを流すことなく、確実かつ容易にケア剤の水切り操作をすることができる。さらに、蓋部は所定角度で開いた状態でケース本体が自立し、コンタクトレンズの出し入れやケア剤の注入等の操作が容易である。
【図面の簡単な説明】
【００１３】
【図１】この発明の一実施形態のコンタクトレンズケースの蓋部が全開した状態の斜視図である。
【図２】この実施形態のコンタクトレンズケースの蓋部が閉じた状態の斜視図である。
【図３】この実施形態のコンタクトレンズケースの蓋部が半開きの状態の平面図（ａ）と正面図（ｂ）である。
【図４】図３のＡ−Ａ線縦断面図である。
【図５】図３のＢ−Ｂ線縦断面図である。
【図６】この実施形態のコンタクトレンズケースの蓋部が閉じた状態の平面図（ａ）と正面図（ｂ）である。
【図７】図６のＣ−Ｃ線縦断面図である。
【図８】図６のＤ−Ｄ線縦断面図である。
【図９】この実施形態のコンタクトレンズケースの蓋部が全開した状態の平面図（ａ）と正面図（ｂ）である。
【図１０】図９のＥ−Ｅ線縦断面図である。
【図１１】図９のＦ−Ｆ線縦断面図である。
【図１２】この実施形態のコンタクトレンズケースの蓋部を全開させて乾燥させている状態を示す右側面図である。
【発明を実施するための形態】
【００１４】
以下、この発明の実施形態について図面に基づいて説明する。図１〜図１２はこの発明の一実施形態を示すもので、この実施形態のコンタクトレンズケース１０は合成樹脂で一体に成形されたものであり、左右一対のコンタクトレンズ１を収容するケース本体１２が設けられている。ケース本体１２には、コンタクトレンズ１を収容する半球状の凹部となるレンズ収容部１４が２個並べられて設けられている。一対のレンズ収容部１４は、連結板１６で連結されている。一対のレンズ収容部１４の周囲には、連結板１６に対して平行に上面１８が一周して設けられている。上面１８の周縁部には、レンズ収容部１４のくぼみ方向に延出する脚部２０が設けられている。脚部２０はレンズ収容部１４の下方に円筒状に延出し、レンズ収容部１４の深さよりも長く設けられ、自立可能に設けられている。円筒状の脚部２０は、一対のレンズ収容部１４の間の位置と、外側の一部が切り欠かれている。レンズ収容部１４の周縁部１４ａは、脚部２０と反対方向に、上面１８に対して直角に立ち上っている。
【００１５】
ケース本体１２の上面１８には、一対のレンズ収容部１４の並び方向に平行な側縁部に、蓋部２２が連結されて設けられている。蓋部２２は、一対のレンズ収容部１４を一体的に覆う大きさの板体であり、一対のレンズ収容部１４を閉鎖する一対のキャップ部２４が設けられている。キャップ部２４は、レンズ収容部１４を閉じたとき、レンズ収容部１４と反対側にわずかに膨らむ丸い皿形である。キャップ部２４の周縁部２４ａは、レンズ収容部１４の周縁部１４ａの外側に嵌合される形状であり、キャップ部２４の周縁部２４ａの少し内側には、レンズ収容部１４の周縁部１４ａの内側に嵌合されるシールリング２８が一周して設けられている。キャップ部２４の周縁部２４ａとシールリング２８の間は、周縁部１４ａが差し込まれる溝部２６となる。溝部２６の外側には、レンズ収容部１４の周縁部１４ａに嵌合する嵌合部２９が設けられている。嵌合部２９は、例えば周縁部１４ａに向かって突出する突縁部である。この場合、周縁部１４ａには、嵌合部２９が係止される被係合部が設けられている。キャップ部２４の、ケース本体１２と反対側の面には、コンタクトレンズの左右を示す、ＲとＬという文字がそれぞれ設けられている。
【００１６】
蓋部２２は、一対のヒンジ３０でケース本体１２に開閉自在に連結されている。ヒンジ３０は、キャップ部２４の周縁部２４ａとケース本体１２の上面１８の間に取り付けられている。一対のヒンジ３０の間には、スプリング部３２が設けられている。スプリング部３２は、蓋部２２を所定角度で固定するものであり、これはスプリング部３２が蓋部２２を閉じた状態でのスプリング部３２が基本形状となり、蓋部２２を開くと、いったんスプリング部３２は角度を広げられた後、再び狭くなるように変形し、外部からの力が無い状態でも開いた形状で止まるものである。さらに、コンタクトレンズケース１０の蓋部２２を開けた時、ケース本体１２の重心がヒンジ３０側に移動しても、スプリング部３２とヒンジ３０の関係を調整して、蓋部２２の開き角度を設定し、重心が円筒状の脚部２０の内側に位置するように設定することにより、蓋部２２を開けた状態でも安定状態を保つ。
【００１７】
蓋部２２は、ヒンジ３０と反対側の側縁部で、一対のキャップ部２４の間に、外側にわずかに突出する鍔３４が形成されている。蓋部２２のキャップ部２４の内側には、ヒンジ３０と反対側の位置に、板状のレンズブロック３６が各々設けられている。レンズブロック３６は、キャップ部２４がレンズ収容部１４側に閉じた状態でレンズ収容部１４の底部に向かって突出して位置し、キャップ部２４の周縁部２４ａに沿って湾曲されている。レンズブロック３６は、キャップ部２４がレンズ収容部１４から半開きの状態でも、レンズブロック３６の先端がレンズ収容部１４の中に位置する長さである。
【００１８】
蓋部２２の鍔３４近傍には、フック３８が設けられている。フック３８は、蓋部２２がケース本体１２に閉じたときにケース本体１２の連結板１６に向かって突出している。なお、ケース本体１２の連結板１６には、蓋部２２が閉じたときにフック３８が収容される係止穴４０が形成されている。蓋部２２は、フック３８がケース本体１２の連結板１６に当接したときに、半開きの状態で固定可能となる。半開きの状態では、フック３８の先端部の段差が係止穴４０の周縁部に当接し、スプリング部３２は閉じる方向に軽く負荷がかかった状態となる。さらに、蓋部２２を押して閉めるとフック３８の段差と係止穴との係合が外れ、フック３８が係止穴４０の中に移動し、蓋部２２は完全に閉じる。
【００１９】
蓋部２２の、一対のキャップ部２４の周縁部には、ヒンジ３０と反対側に、水切り突起３９が、各々設けられている。水切り突起３９は、小さい突起が外側に突出しているものである。
【００２０】
次に、この実施形態のコンタクトレンズケース１０の使用方法について説明する。先ず、コンタクトレンズ１を使用した後、コンタクトレンズケース１０のケース本体１２をテーブル等に置き、脚部２０で立設する。そして、図１、図９、図１０、図１１に示すように蓋部２２を押し上げてレンズ収容部１４を開く。このとき、スプリング部３２は、無加重状態となり、蓋部２２は所定角度で開き状態を維持する。この状態でコンタクトレンズケース１０の重心は、円筒状の脚部２０の内側に位置し、転倒することがない。
【００２１】
そして、レンズ収容部１４の中に、使用して汚れたコンタクトレンズ１を入れる。このとき蓋部２２に表示されているＲまたはＬと、コンタクトレンズ１の右と左を一致させる。レンズ収容部１４の中にさらに少量のケア剤を入れ、蓋部２２を押してケース本体１２に被せ、ケース本体１２の周縁部１４ａが蓋部２２の溝部２６に嵌合し、シールリング２８が密着し、レンズ収容部１４は、図２、図６、図７、図８に示すようにコンタクトレンズ１と少量のケア剤を収容した状態で密閉される。このとき、蓋部２２のフック３８は、係止穴４０の周縁部を乗り越えて係止穴４０の中に収容される。また蓋部２２のキャップ部２４の周縁部２４ａは、ケース本体１２の上面１８に重ねられる。蓋部２２は、一対のキャップ部２４が一体に設けられているため、一対のレンズ収容部１４がワンタッチで密閉される。そして、コンタクトレンズケース１０を持って所定回数振り、中に収容されたケア剤でコンタクトレンズ１の表面を洗う。
【００２２】
次に、コンタクトレンズケース１０の蓋部２２を鍔３４に指をかけて押し上げる。すると、蓋部２２の溝部２６の嵌合部２９と、ケース本体１２のレンズ収容部１４の周縁部１４ａが外れ、蓋部２２が開く。そして蓋部２２を弱い力で押さえると、スプリング部３２の負荷によって蓋部が閉じられて、フック３８の先端の段差が係止穴４０の周縁部に当接し、半開き状態で維持され、図３、図４、図５に示すように、一定の大きさの開口部４２が形成される。このとき、蓋部２２のレンズブロック３６の先端はレンズ収容部１４の内側に位置し、開口部４２の大部分を覆っている。そして、半開き状態でコンタクトレンズケース１０を傾けて開口部４２から汚れが付いたケア剤を注出する。コンタクトレンズ１は、レンズブロック３６に係止されて流れ出ることがない。流れ出るケア剤は、蓋部２２の水切り突起３９に沿って流れ落ち、ケース本体１２の脚部２０やレンズ収容部１４の外側面に裏漏りすることがない。
【００２３】
次に、コンタクトレンズケース１０の傾きを元に戻し、蓋部２２の鍔３４を押し上げる。すると、スプリング部３２で蓋部２２が所定角度に引き上げられ、図１に示す開き状態の無負荷状態で固定される。そして、新たにケア剤をレンズ収容部１４に入れ、コンタクトレンズ１を浸す。蓋部２２を押してケース本体１２に閉じて密閉し、コンタクトレンズ１を保管する。次にコンタクトレンズ１を使用するとき、鍔３４を押し上げて蓋部２２を開く。保存したコンタクトレンズ１は、使用前にケア剤で洗い流してから装着する。
【００２４】
使用後のコンタクトレンズケース１０は、水洗いしてから図１２に示すように、蓋部２２を開いた状態で、机などにうつぶせの状態で置き、水分を落下させ乾燥させる。この状態で乾燥させることにより、レンズ収容部１４の内側を他部材に閉塞・接触させることがない。
【００２５】
この実施形態のコンタクトレンズケース１０によれば、コンタクトレンズ１を簡単にケア剤とともに収容し、手で触れずに収容したまま確実に洗浄することができる。蓋部２２は、所定角度で開いた状態で自立することができ、コンタクトレンズ１の出し入れやケア剤の注入等の操作が容易である。また、蓋部２２には半開きで係止されるフック３８と、コンタクトレンズ１が流れ出ないようにするレンズブロック３６が設けられ、コンタクトレンズ１を流さずにケア剤のみを流すことができ、手でコンタクトレンズ１に直接触れずにケア剤で洗浄することができるため、衛生的である。また、蓋部２２には水切り突起３９が設けられているため、ケア剤を捨てるときに裏漏れすることがなく、清潔である。蓋部２２には、一対のレンズ収容部１４を閉鎖する一対のキャップ部２４が設けられているため、一対のレンズ収容部１４をワンタッチで同時に開閉することができ、操作が簡単である。鍔３４を引き上げたり押さえたりすることで、一対のレンズ収容部１４の開閉が容易である。このコンタクトレンズケース１０によるコンタクトレンズ１の洗浄方法は、蓋部２２を開、閉、半開、開、閉の順番で開閉動作が必要であり、手間がかかるが、開閉操作が簡単なため、容易に行うことができる。さらに、スプリング部３２により蓋部２２が開いた状態で固定されるので、使用後にコンタクトレンズケース１０を乾燥させる場合は、図１２に示すようにうつぶせの状態で置くことができ、レンズ収容部１４の内側を他部材に閉塞・接触させることなく、容易に衛生的に乾燥させることができる。
【００２６】
なお、この発明のコンタクトレンズケースは、前記実施の形態に限定されるものではなく、各部材の形状や数は、自由に変更可能である。ヒンジとスプリング部の数や取付位置は変更可能であり、確実に蓋部の重心が脚部よりも内側で開き状態となるものであればよい。
【符号の説明】
【００２７】
１  コンタクトレンズ
１０  コンタクトレンズケース
１２  ケース本体
１４  レンズ収容部
１６  連結板
１８  上面
２０  脚部
２２  蓋部
２４  キャップ部
２６  溝部
２８  シールリング
３０  ヒンジ
３２  スプリング部
３４  鍔
３６  レンズブロック
３８  フック
３９  水切り突起
４０  係止穴
【図１】
0005823142.tif 000002
【図２】
0005823142.tif 000003
【図３】
0005823142.tif 000004
【図４】
0005823142.tif 000005
【図５】
0005823142.tif 000006
【図６】
0005823142.tif 000007
【図７】
0005823142.tif 000008
【図８】
0005823142.tif 000009
【図９】
0005823142.tif 000010
【図１０】
0005823142.tif 000011
【図１１】
0005823142.tif 000012
【図１２】
0005823142.tif 000013